(57)【要約】【課題】  簡単な構成で、ｐＨが約１〜２の取り扱いが難しい源泉水を冷却することができ、ボイラを設置しなくても、源泉水の冷却温度を超える温度にまで昇温させ、生成された湯を供給することができるシステムを提供する。【解決手段】  給湯システムは、源泉水を貯留し、側壁１０ａ下部にその源泉水の取出口１４を有する源泉槽１０と、その側壁１０ａの下部から源泉水内を通して該源泉水の水面へ向けて蛇行させるように設けられ、内部に水を流通させるプラスチック樹脂からなるチューブ１１と、そのチューブ１１と接続され、源泉槽１０内へ水を供給または源泉水により加熱されて生成された湯を吸引する送出手段１２と、生成された湯を受け入れ、給湯するために湯を貯留する貯湯槽１３とを含む。【選択図】  図１
2010255976.tif 000002
【特許請求の範囲】
【請求項１】
湯を生成するとともに源泉水を冷却して、前記湯と冷却された前記源泉水の両方を供給可能な給湯システムであって、
前記源泉水を貯留し、側壁下部に該源泉水の取出口を有する源泉槽と、
前記側壁下部から前記源泉水内を通して該源泉水の水面へ向けて蛇行させるように設けられ、内部に水を流通させるプラスチック樹脂からなるチューブと、
前記チューブと接続され、前記源泉槽内へ前記水を供給または前記源泉水により加熱されて生成された湯を吸引する送出手段と、
生成された前記湯を受け入れ、給湯するために該湯を貯留する貯湯槽とを含み、
前記取出口から排出される前記源泉水の温度より高い温度の湯を生成することを特徴とする、給湯システム。
【請求項２】
前記給湯システムは、複数の前記チューブと、各前記チューブへ前記水を分配する給水ヘッダと、各前記チューブにおいて熱交換されて生成された前記湯を１つに集める集湯ヘッダとを含み、前記送出手段が、前記給水ヘッダまたは前記集湯ヘッダのいずれかに接続される、請求項１に記載の給湯システム。
【請求項３】
前記チューブは、架橋ポリエチレン管またはポリブテン管である、請求項１または２に記載の給湯システム。
【請求項４】
前記源泉槽は、前記源泉水が接触する内面に樹脂ライニングが施されたコンクリート製の容器である、請求項１〜３のいずれか１項に記載の給湯システム。
【請求項５】
前記チューブは、前記源泉槽の前記側壁または底に留め具または接着剤により固定される、請求項１〜４のいずれか１項に記載の給湯システム。
【請求項６】
前記源泉水の水面に近隣し、該源泉水に浸漬させて配置される第２チューブをさらに含み、前記送出手段は、前記貯湯槽内の前記湯を、前記第２チューブを通して循環させ加熱する、請求項１〜５のいずれか１項に記載の給湯システム。
【請求項７】
前記取出口から冷却された前記源泉水を取り出すとともに、前記源泉槽に貯留される前記源泉水の水面に新たな源泉水を供給する、請求項１〜６のいずれか１項に記載の給湯システム。
【発明の詳細な説明】
【技術分野】
【０００１】
本発明は、源泉水を冷却する際に生じる排熱を利用して水を加熱し、生成された湯を供給するシステムに関する。
【背景技術】
【０００２】
源泉を有する地域では、源泉水の温度や量によっても異なるが、浴槽に源泉水を一定量給湯し、それに水道水等を供給して希釈することにより適温にしている。
【０００３】
近年では、源泉水と水道水等との間で熱交換を行い、源泉水の温度を入浴に適する温度にまで冷却し、加熱された水道水等を、さらにボイラ等で加熱し、あがり湯や洗い場等に使用することが行われている。
【０００４】
このような源泉水と水道水等との間で熱交換を行い、源泉水を冷却する技術としては、例えば、以下の技術が提案されている（詳細については、特許文献１〜３参照）。
【０００５】
温泉源から供給された温泉水を浴槽に供給する温泉水供給ラインと、そのライン内に設置される少なくとも１つの熱交換器を備え、その熱交換器が、温泉水を加熱源として利用する温水器具設備に個別に使用可能とし、そのラインによって純自然温泉風呂用の冷却温泉水の供給をも可能とした多目的熱利用システムが提案されている。このシステムは、熱交換器の介在を通して、温泉水の熱を多目的に熱利用することができ、水道水の費用を節約することができるというものである。
【０００６】
また、汲み上げられた高温の源泉からの温泉によって冷却水を加熱し温水を製造すると共に、その温泉を浴槽への供給温度まで減温する熱交換器と、その熱交換器および温泉供給配管の各配管内に付着した付着物を除去する洗浄装置とを有する源泉減温システムが提案されている。このシステムは、温泉を熱交換技術によって減温することにより温泉成分を希釈することなく浴槽へ供給できると共に、源泉からの温泉の供給配管から熱交換チューブおよび浴槽までの温泉供給配管に付着した温泉成分が堅固に硬化しないうちに適宜洗浄することができるというものである。
【０００７】
また、源泉タンクと熱交換器とを、途中に第１ポンプを有する第１循環管路により接続し、熱交換器と一次貯留槽とを、途中に第２ポンプを有する第２循環管路により接続して、源泉水と一般水との間で熱交換を可能にし、源泉タンク内の源泉水の温度と一次貯留槽内の一般水の温度とにより、制御装置が第１ポンプと第２ポンプの駆動を制御するようにした源泉熱回収装置が提案されている。この装置は、源泉タンク内の源泉水の温度が高い場合には、源泉水タンクと一次貯留槽に設けた温度センサからの信号に基づき制御装置が、第１ポンプおよび第２ポンプの駆動を増大させることで、源泉水を適温にし、源泉水の温度が低くなりすぎた場合には、熱交換が行われないように、第１ポンプおよび第２ポンプの駆動を低減あるいは停止させるというものである。
【先行技術文献】
【特許文献】
【０００８】
【特許文献１】特開２００７−９３０６１号公報
【特許文献２】特開２００５−２２１１９０号公報
【特許文献３】特開平９−１４７５０号公報
【発明の概要】
【発明が解決しようとする課題】
【０００９】
上述したシステムや装置では、熱交換器を使用して源泉水を冷却するため、熱交換器が必要となるが、取り扱いが難しい強酸性（ｐＨ１〜２）の源泉水を入浴に適する温度にまで冷却する熱交換器は、源泉の中に、鉄等の金属が含まれていることから、２つの異なる金属を使用すると電池を形成して金属を著しく腐食させる作用である電蝕が起こりやすく、ステンレス鋼であっても穴が開く場合がある。
【００１０】
また、熱交換器は、凹凸を設けたり、チューブの本数を増加したり、長くして伝熱面積を広くした構造とされるが、源泉水には様々な成分が含まれ、それら成分が固まってスケールを形成し、このスケールが表面を覆って伝熱面積を減少させるため、定期的に除去しなければならない。上記の従来技術では、硬化する前に洗浄することが提案されているが、スポンジボールでしごき落とすものであるため、スポンジボールが入り込めない箇所は除去することができない。また、スポンジボールが入り込める箇所であっても、上記のような構造であるため、スケールを簡単に除去することはできず、その除去に時間を要する。
【００１１】
このように、熱交換器は、源泉水の冷却に使用する場合、その維持管理が難しく、金属腐食のおそれがあることから、熱交換器を使用することなく、簡単な構成で、源泉水を冷却することができるシステムの提供が望まれていた。
【００１２】
一方、源泉水の冷却には、水道水等が使用されているが、例えば、約８５℃の源泉水を入浴に適する約４５℃まで冷却する際、常温の水を使用して行うことができる。しかしながら、その水を源泉水の冷却温度を超える温度にまで昇温するには、複数の熱交換器を設置するか、非常に大きい伝熱面積にしなければならない。上記の腐食を考慮すると、特殊な材料を使用しなければならず、伝熱面積を大きくすれば、材料コストが多大にかかることになり、現実的ではない。
【００１３】
そこで、一般には、任意の伝熱面積を有する熱交換器で加熱した水を、さらにボイラにより加熱して、あがり湯や洗い場に使用している。しかしながら、ボイラによる加熱は、石油燃料を使用するため、温暖化ガスが排出されるという問題がある。
【００１４】
したがって、ボイラを設置しなくても、源泉水の冷却温度を超える温度にまで昇温させ、生成された湯を供給することができるシステムの提供も望まれていた。
【課題を解決するための手段】
【００１５】
本発明は、上記２つの課題を同時に解決するべく、源泉水を貯留し、側壁の下部にその源泉水の取出口を有する源泉槽と、その側壁の下部から源泉水内を通して該源泉水の水面へ向けて蛇行させるように設けられ、内部に水を流通させるプラスチック樹脂からなるチューブと、そのチューブと接続され、源泉槽内へ水を供給または源泉水により加熱されて生成された湯を吸引する送出手段と、生成された湯を受け入れ、給湯するために湯を貯留する貯湯槽とを含む構成とされる。
【００１６】
この構成により、冷却され、取出口から排出される源泉水の温度より高い温度の湯を生成することができる。なお、この排出により、源泉水の貯留量が減少するが、源泉槽の上部から高温の源泉水を供給することで、追加することができる。この追加により、源泉水の温度が上昇するが、源泉水の水面近くの温度が上昇するのみで、底近くの温度はほとんど影響を受けない。この底近くの温度は、例えば、チューブ内を通す水の量を制御することにより、所望の温度に制御することができる。
【００１７】
チューブは、伝熱面積を大きくして、より効率的に熱交換するために、複数のチューブから構成することが好ましい。複数のチューブにする場合、各チューブへ水を分配する給水ヘッダと、各チューブにおいて熱交換されて生成された湯を１つに集める集湯ヘッダとを備えることができ、送出手段は、これらいずれかのヘッダに配管を介して接続することができる。
【００１８】
チューブは、約８０〜９０℃といった高温の源泉水と接触するため、この温度に耐えうる材質でなければならない。この温度に耐えうるプラスチック樹脂として、架橋ポリエチレン、ポリブテン等を挙げることができる。
【００１９】
源泉槽は、源泉水が接触する内面に樹脂ライニングが施されたコンクリート製の容器とすることができる。この樹脂ライニングに使用される樹脂は、耐熱性のＦＲＰ（繊維強化プラスチック）、フッ素樹脂、エポキシ樹脂等を挙げることができる。
【００２０】
チューブは、源泉槽の側壁または底に留め具または接着剤により固定されることが好ましい。これは、チューブの揺動等により、貯留されている源泉水が撹拌され、源泉槽内の源泉水の温度が均一になるのを防止するためである。
【００２１】
給湯システムは、源泉水の水面に近隣し、その源泉水に浸漬させて配置される第２チューブをさらに含むことができ、送出手段は、貯湯槽内の湯を、第２チューブを通して循環させ加熱することができる。これにより、貯湯槽内の湯が冷めても、再加熱することができる。
【００２２】
この給湯システムでは、取出口から冷却された源泉水を取り出すとともに、源泉槽に貯留される源泉水の水面に新たな源泉水を供給することができ、これにより、入浴に適する温度の源泉水を充分に供給することができ、かつ洗い場等にも充分な量および温度の湯を供給することができる。
【００２３】
このように、本発明の給湯システムを提供することで、熱交換器を使用することなく、簡単な構成で、源泉水を冷却することができ、かつ、ボイラを設置しなくても、冷却後の源泉水より高い温度の湯を充分に供給することができる。
【図面の簡単な説明】
【００２４】
【図１】給湯システムの１つの構成例を示した図。
【図２】給湯システムに用いられるチューブの設置例を示した図。
【図３】給湯システムの別の構成例を示した図。
【発明を実施するための形態】
【００２５】
図１は、給湯システムの１つの構成例を示した図である。図１に示す給湯システムは、源泉槽１０と、チューブ１１と、送出手段１２と、貯湯槽１３とから構成されている。
【００２６】
源泉槽１０は、地中から湧き出す約８０〜９０℃の高温の源泉水を貯留し、その側壁１０ａの下部には、源泉水を取り出すための取出口１４および弁１５を有し、その底１０ｂには、水抜きするための抜出口１６および弁１７を有している。源泉槽１０は、所定量の源泉水を貯留することができる容量を有し、源泉水が強酸性（ｐＨ１〜２）であるため、容易に腐食しないコンクリートにより形成されている。また、コンクリートで形成されるにしても、強度の面から、内部に鉄筋が使用され、コンクリートは、ひび割れ等を生じ、鉄筋へ源泉水が浸透し、腐食するおそれがあることから、源泉水が接触する内面に、樹脂ライニング１８が施されている。
【００２７】
樹脂ライニング１８に使用される樹脂は、耐熱性および耐酸性を有するものでなければならず、ＦＲＰ、エポキシ樹脂、フッ素樹脂、ポリエステル等を採用することができる。強度、耐熱性、耐酸性の面において、特にＦＲＰが好ましく、ガラス繊維を含むガラス繊維強化プラスチックやカーボン繊維を含むカーボン繊維強化プラスチックが好ましい。
【００２８】
源泉槽１０は、コンクリート製の側壁１０ａと底１０ｂとから構成される容器とされ、取出口１４は、所定流量で源泉水を送出することができる径とされ、底１０ｂに近隣した側壁１０ａの下部に設けられている。なお、源泉水には所定の液面高さがあるため、取出口１４にはポンプ等を接続しなくても、弁１５を開くのみで源泉水を送出することができる。また、その流量も、弁１５の弁開度を調整することで制御することができる。
【００２９】
抜出口１６は、源泉槽１０に貯留された源泉水をすべて抜き出すことができるように底１０ｂに設けられ、その抜き出す流量はいかなるものであってもよいことから、いかなる径であってもよい。弁１７は、抜出口１６の径に合わせて選定することができ、源泉水が漏出しないように適切に閉鎖することができるものを採用することができる。弁１５、１７はいずれも液漏れしないように適切に閉鎖することができるものが好ましく、グローブ弁が好ましい。
【００３０】
これら取出口１４、抜出口１６には、管が使用され、この管および弁１５、１７は、一般に金属により製造されることから、腐食の可能性がある。このため、これらについても樹脂ライニングが施される。また、これらについて、後述するチューブ１１と同様、プラスチック樹脂により製造されたものを用いることも可能である。
【００３１】
側壁１０ａには、取出口１４のほか、その取出口１４に近隣してチューブ１１が貫通するように設けられる。コンクリートからなる側壁１０ａとチューブ１１との間には隙間はまったくなく、そこから源泉水が漏れ出すことはないようにされている。
【００３２】
チューブ１１は、側壁１０ａの下部から源泉水内を通してその源泉水の水面へと蛇行させるように設けられ、その材質は、プラスチック樹脂からなるものとされる。金属製のものとすると、源泉水が強酸性を有するため、電蝕等が起こり、腐食するからである。溶融したプラスチック樹脂を型枠に流し込み、冷却して、蛇行したチューブを形成することができるが、蛇腹タイプのチューブとし、自在に曲げて配置することも可能である。このように、チューブ１１を曲がった形状とすることで、その長さを長くとることができ、より大きな伝熱面積を確保することができる。なお、蛇腹タイプのチューブは、管壁が凹凸を有する構造であるため、さらに大きな伝熱面積を有する点で好ましい。
【００３３】
具体的には、チューブ１１は、側方から見た場合、図２（ａ）に示すように、側壁１０ａ下部から水面へと蛇行させた形状とし、その内部を、下から上へ水が流れるようにされる。
【００３４】
また、チューブ１１は、その伝熱面積をより大きくとるために、複数のチューブから構成することが好ましい。複数のチューブで構成すると、その内部を流す水の流速が遅くなり、充分に熱を与えて、より高温になるように昇温することができるからである。例えば、内径１０〜２０ｍｍ程度のチューブを複数用いることができる。複数のチューブは、上方から見た場合、図２（ｂ）に示すように、一端が給水ヘッダ２１に接続され、ほぼ等間隔に奥行き方向へ配列させて設置することができる。
【００３５】
ここで、チューブ１１を、側壁１０ａから源泉水内を通してその源泉水の水面へ蛇行させるように設けるのは、伝熱面積を大きくするのと同時に、供給する水を、源泉槽１０の水底付近から水面に向けて流すことによって徐々に加熱させるようにし、源泉水を、水面から水底へいくにつれて温度が低下していくような温度分布を形成させるためである。
【００３６】
この温度分布は、源泉水が水面付近と水底付近との間において密度差を生じているために起こる現象である。水底付近では、例えば、約５〜１５℃といった低温の水が供給されるので、チューブ１１内を流れる水の流量等の条件にもよるが、入浴に適する約４０〜４５℃の温度とすることができる。一方、水面付近では、チューブ１１内を流れる水が、それまでに源泉水によって加熱されているため、水面付近の源泉水の温度は大きく低下することはなく、源泉水の温度が約８５℃であった場合、その水面付近の温度は、約６０〜７５℃となる。このため、その水面を通過するチューブ１１内の水は、約５０〜６５℃にまで加熱することができ、その温度の湯が生成され、送出手段１２により貯湯槽１３へ送出される。
【００３７】
チューブ１１に使用することができるプラスチック樹脂は、耐熱性および耐酸性を有するものでなければならない。すなわち、源泉水がｐＨ１〜２という強酸であるため、それに耐え、約８０〜９０℃の温度に耐えうるものでなければならないことから、例えば、架橋ポリエチレン、ポリブテンを使用することができ、チューブ１１としては、架橋ポリエチレン管、ポリブテン管を採用することができる。こういった樹脂からなるチューブを採用することで、腐食がなくなり、メンテナンスも容易になる。このプラスチック樹脂は、耐アルカリ性も有するため、源泉水がアルカリ性であっても採用することができるものである。
【００３８】
送出手段１２は、ポンプとすることができ、その設置場所は、源泉槽内へ水を供給する側であっても、図１に示すように、源泉水により加熱されて生成された湯を吸引する側であってもよい。いずれに設置しても、送出手段１２は、生成された湯を、給湯するための貯湯槽１３へ送出する。このポンプは、容量、揚程、吸い込みヘッド（ＮＰＳＨ）を考慮し、渦巻ポンプ等、適切なポンプを採用することができる。
【００３９】
貯湯槽１３は、所定容量のタンクとされ、その形状はいかなる形状であってもよい。また、貯湯槽１３は、循環ポンプ１９により、給湯ユースポイント２０へ給湯し、給湯ユースポイント２０から余分な湯を戻すようにされている。このため、送出手段１２から湯を受け入れるためのノズル、給湯ユースポイント２０へ給湯するためのノズル、循環ポンプ１９からの湯を受け入れるノズルを備える。貯湯槽１３の容量は、湯の使用量に応じて決定することができる。給湯ユースポイント２０は、湯を使用する場所を示し、例えば、浴室、ドレッサー、キッチン等とすることができる。
【００４０】
チューブ１１は、上述したように、複数のチューブから構成することができ、複数のチューブにより構成する場合、各チューブへ水を分配する給水ヘッダ２１と、各チューブにおいて熱交換されて生成された湯を１つに集める集湯ヘッダ２２とを備えることができ、送出手段１２は、給水ヘッダ２１または集湯ヘッダ２２に配管を介して接続することができる。なお、図１では、送出手段１２は、集湯ヘッダ２２に接続されている。
【００４１】
給水ヘッダ２１は、貯湯槽１３から湯水を受け入れるためのノズルと、水道水等の水を受け入れるためのノズルと、複数のチューブを接続するための複数のノズルとを備えている。一方、集湯ヘッダ２２は、複数のチューブを接続するための複数のノズルと、送出手段１２と接続するためのノズルとを備えている。
【００４２】
本発明では、プラスチック樹脂からなるチューブ１１を採用するが、軽量で、送出手段１２等からの振動を受けて源泉水内を揺動しやすい。一般にはそれほど大きくないので、影響はないと考えられるが、揺動が起こると、源泉水を撹拌するような効果を与えることから、形成された温度分布を消失させてしまう。これでは、水を、上記のような約５０〜６５℃といった所定温度にまで加熱することができなくなってしまい、源泉水も入浴に適する約４０〜４５℃の温度へ冷却することができなくなってしまう。
【００４３】
このため、チューブ１１は、側壁１０ａまたは底１０ｂに固定されていることが好ましい。この固定は、プラスチック樹脂製のＵ字状の留め具や耐熱性エポキシ接着剤等を用いて行うことができる。
【００４４】
図１に示す給湯システムの運転方法について説明する。まず、源泉槽１０に高温の源泉水を入れる。源泉水は、例えば、源泉槽１０の容量の８０％程度入れる。このとき、源泉水の温度は、まだ、ほぼ均一である。源泉水は、源泉、水源地と源泉槽１０の自然落差を利用して供給するが、それが不可能な場合は、プラスチック樹脂製のポンプ等を使用して供給することができる。
【００４５】
給水ヘッダ２１、チューブ１１および集湯ヘッダ２２へ給水し、送出手段１２を起動させる。送出手段１２は、供給される水を、給水ヘッダ２１、チューブ１１、集湯ヘッダ２２を介して吸引し、貯湯槽１３へと送出する。
【００４６】
チューブ１１内の水は、源泉水の水底から水面へ向かうにつれて加熱され、湯となって貯湯槽１３へ送られる。これが繰り返されることにより、貯湯槽１３内に湯が溜められていく。
【００４７】
順次供給される常温の水により源泉槽１０の水底付近の温度が低下し、その温度が入浴に適する温度にまで低下したところで、弁１５を開き、取出口１４から源泉水を取り出すことができる。この源泉水の取り出しにより、源泉槽１０内の源泉水の量が減少するため、新たに源泉水を追加する。この追加は、温度分布が形成された源泉水の最も温度が高い水面へ行うことができる。この追加する源泉水が最も温度が高く、密度が最も小さいので、源泉水の水面付近に貯留されることになる。このため、水底付近では、この追加によってもそれほど温度変化はなく、水もチューブ１１へ順次供給されるので、入浴に適する温度で取り出すことができる。
【００４８】
例えば、貯湯槽１３の容量の約５０〜７０％貯留されたところで、循環ポンプ１９を起動し、給湯ユースポイント２０との間で湯を循環させることができる。給湯ユースポイント２０で湯が使用されると、貯湯槽１３の貯湯量が減少するが、チューブ１１へ水を供給して湯を生成することができるため、貯湯量をほぼ一定に維持することができる。
【００４９】
なお、給湯ユースポイント２０での湯の使用量が少ない場合、貯湯槽１３内の湯量が減少しないため、水の供給を停止し、湯の生成を停止することができる。この場合、水の供給停止によって源泉水の温度を下げることができなくなる。そこで、そのまま放置し、自然冷却により温度を降下させ、入浴に適する約４０〜４５℃になったところで、浴場等に供給することができる。
【００５０】
別の実施形態として、この給湯システムは、図３に示すように、源泉水の水面に近隣した位置に浸漬されるチューブ３０をさらに備えることができる。チューブ３０は、貯湯槽１３に貯留される湯を受け入れ、送出手段１２へ送り、貯湯槽１３内の湯を循環させることができる。
【００５１】
このチューブ３０は、高温である源泉水の水面付近に浸漬されていることから、貯湯槽１３内の湯の温度が低下してきた場合に、その湯を加熱することができる。また、このチューブ３０は、チューブ１１への水の供給が停止した場合に、内部に貯湯槽１３内の湯を循環させ、その湯に源泉水の熱を与え、源泉水の温度を自然冷却よりはやく降下させるのにも使用することができる。
【００５２】
このチューブ３０も、チューブ１１と同様、複数のチューブから構成することができ、同じ材質のものを採用することができる。また、複数のチューブから構成する場合、給水ヘッダ、集湯ヘッダを用いることができ、チューブ１１とチューブ３０のそれぞれに弁を設け、送出手段１２が、いずれか一方の湯のみを吸引するように、切り替えることができる。
【００５３】
これまで、本発明の給湯システムを、図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【００５４】
本発明の給湯システムを提供することで、取り扱いが難しい源泉水に対し、架橋ポリエチレン管等のプラスチック樹脂からなるチューブを採用し、源泉槽は、コンクリート製とし、かつ耐熱ＦＲＰライニング等の樹脂ライニングを施すことで、金属腐食がなくなり、また、熱交換器を使用しないため、メンテナンスが容易になる。また、源泉水の冷却と、湯の生成とを同時に行うことができるため、効率的であり、生成された湯は、融雪用の熱源として利用することも可能である。さらに、複数のチューブで構成するにしてもチューブ間の間隔が広く、スケールも容易に除去することができる。
【符号の説明】
【００５５】
１０…源泉槽、１０ａ…側壁、１０ｂ…底、１１…チューブ、１２…送出手段、１３…貯湯槽、１４…取出口、１５…弁、１６…抜出口、１７…弁、１８…樹脂ライニング、１９…循環ポンプ、２０…給湯ユースポイント、２１…給水ヘッダ、２２…集湯ヘッダ、３０…チューブ
【図１】
2010255976.tif 000003
【図２】
2010255976.tif 000004
【図３】
2010255976.tif 000005